(57)【要約】【課題】スライド部を中点復帰させる弾性部材を、撓めることなく組み込むことができる自動復帰式スライドスイッチの提供。【解決手段】スライド部３に固定される摺動接点４と、スライド部３が収容されるケース１側に設けられ、摺動接点４が接触可能な固定接点６ａ，６ｂ，６ｃ，６ｄと、スライド部３を中点復帰させる弾性部材、例えば金属から成る板ばね２を備え、スライド部３に、板ばね２に向かって次第に広がる開口を形成する面、例えばテーパ面３ｃ１を有する凹部３ｃを設け、板ばね２に、この板ばね２の付勢力を介して凹部３ｃのテーパ面３ｃ１に当接する膨出部２ａを設けた。【選択図】図４
2007311189.tif 000002
【特許請求の範囲】
【請求項１】
スライド部に固定される摺動接点と、上記スライド部が収容されるケース側に設けられ、上記摺動接点が接触可能な固定接点と、上記スライド部を中点復帰させる弾性部材とを備えるとともに、
上記弾性部材が板ばねから成り、
上記スライド部及び板ばねの一方に、他方に向かって次第に広がる開口を形成する面を設け、上記他方に、上記板ばねの付勢力を介して上記開口を形成する面に当接する膨出部を設けたことを特徴とする自動復帰式スライドスイッチ。
【請求項２】
上記請求項１記載の発明において、
上記膨出部を上記板ばねに設け、上記開口を形成する面を上記スライド部に設けたことを特徴とする自動復帰式スライドスイッチ。
【請求項３】
上記請求項２記載の発明において、
上記板ばねが、上記膨出部を中央に有するとともに、この膨出部を挟むように互いに反対方向に延設される一対の腕部を有することを特徴とする自動復帰式スライドスイッチ。
【請求項４】
上記請求項３記載の発明において、
上記スライド部を一方向へ案内するガイド手段を備えたことを特徴とする自動復帰式スライドスイッチ。
【請求項５】
上記請求項４記載の発明において、
上記摺動接点を上記スライド部の側部に配置し、上記固定接点を上記ケース内の側壁に配置したことを特徴とする自動復帰式スライドスイッチ。
【請求項６】
上記請求項２記載の発明において、
上記板ばねが、中央に上記膨出部を有するとともに、この膨出部を挟むように互いに反対方向に延設される一対の第１腕部と、上記膨出部を挟むように互いに反対方向に延設されるとともに、上記第１腕部と直交するように配設される一対の第２腕部とを有することを特徴とする自動復帰式スライドスイッチ。
【請求項７】
上記請求項６記載の発明において、
上記スライド部を一方向へ案内する第１ガイド手段と、上記スライド部を上記一方向と直交する方向へ案内する第２ガイド手段とを備えたことを特徴とする自動復帰式スライドスイッチ。
【請求項８】
上記請求項７記載の発明において、
上記摺動接点を上記スライド部の底部側に配置し、上記固定接点を上記ケースの底部側に配置したことを特徴とする自動復帰式スライドスイッチ。
【請求項９】
上記請求項１記載の発明において、
上記膨出部を上記スライド部に設け、上記開口を形成する面を上記板ばねに設けたことを特徴とする自動復帰式スライドスイッチ。
【請求項１０】
上記請求項１記載の発明において、
上記板ばねが金属から成ることを特徴とする自動復帰式スライドスイッチ。
【請求項１１】
上記請求項１記載の発明において、
上記開口を形成する面がテーパ面から成ることを特徴とする自動復帰式スライドスイッチ。
【発明の詳細な説明】
【技術分野】
【０００１】
本発明は、スライド部に設けた摺動接点と、ケース側に設けた固定接点とを有し、スライド部の摺動に伴う摺動接点と固定接点との接離によりＯＮ，ＯＦＦする自動復帰式スライドスイッチに関する。
【背景技術】
【０００２】
この種の従来技術として、特許文献１に示されるものがある。この従来技術は、スライド部の側部に固定される摺動接点と、スライド部が収容されるケース側の側壁に設けられる固定接点とを備えるとともに、スライド部を中点復帰させる弾性部材としてコイルばねを備えた構成になっている。
【０００３】
この従来技術では、中立位置に保持されているときには摺動接点が固定接点から離れてＯＦＦとなり、スライド部をコイルばねの付勢力に抗して中点位置から一方へ、あるいは他方へ摺動させると、それぞれ摺動接点が固定接点に接触してＯＮとなる。
【特許文献１】特開平０８−１１５６３７号公報
【発明の開示】
【発明が解決しようとする課題】
【０００４】
上述した従来技術は、コイルばねを組み込む際に、このコイルばねを予め圧縮させてからスライド部に形成された空間部に組み込まねばならず、この組み込み作業が煩雑になりやすかった。このために、全体の組立作業の能率の向上を見込み難い問題があった。
【０００５】
本発明は、上述した従来技術における実状からなされたもので、その目的は、スライド部を中点復帰させる弾性部材を、撓めることなく組み込むことができる自動復帰式スライドスイッチを提供することにある。
【課題を解決するための手段】
【０００６】
この目的を達成するために、本発明は、スライド部に固定される摺動接点と、上記スライド部が収容されるケース側に設けられ、上記摺動接点が接触可能な固定接点と、上記スライド部を中点復帰させる弾性部材とを備えるとともに、上記弾性部材が板ばねから成り、上記スライド部及び板ばねの一方に、他方に向かって次第に広がる開口を形成する面を設け、上記他方に、上記板ばねの付勢力を介して上記開口を形成する面に当接する膨出部を設けたことを特徴としている。
【０００７】
このように構成した本発明は、開口を形成する面に膨出部を当接させる板ばねの付勢力によってスライド部を中点位置に保持させることができる。例えばこの状態にあっては、スライド部に固定される摺動接点がケース側に設けられる固定接点から離れた状態となり、ＯＦＦとなる。このような中点位置からスライド部を板ばねの付勢力に抗して一方向へ、あるいは他方向へ摺動させると、膨出部が開口を形成する面上を摺動し、スライド部に固定される摺動接点がケース側に設けられる固定接点に接触し、ＯＮとなる。また、この状態からスライド部に加えていた操作力を弱めると、板ばねの付勢力が膨出部と開口を形成する面との当接部分に作用してスライド部を中点位置方向へ摺動させる力となる。これによりスライド部は中点復帰する。すなわち、コイルばねを要することなく、板ばねを介してスライド部を中点復帰させることができる。
【０００８】
このような動作を行なう本発明は、板ばねをケースに組み込むに際して、ケース内に板ばねを撓めることなくそのまま収容させ、この板ばねの上にスライド部を積層させるように組み込めばよく、優れた組み込み性を確保できる。
【０００９】
また、本発明は、上記発明において、上記膨出部を上記板ばねに設け、上記開口を形成する面を上記スライド部に設けたことを特徴としている。このように構成した本発明は、膨出部と開口を形成する面とを簡単に設けることができる。
【００１０】
また、本発明は、上記発明において、上記板ばねが、上記膨出部を中央に有するとともに、この膨出部を挟むように互いに反対方向に延設される一対の腕部を有することを特徴としている。このように構成した本発明は、一対の腕部によってスライド部に対する安定した付勢力を確保でき、この付勢力を介して開口を形成する面と膨出部との当接を確実に行なわせることができる。
【００１１】
また、本発明は、上記発明において、上記スライド部を一方向へ案内するガイド手段を備えたことを特徴としている。このように構成した本発明は、ガイド手段によってスライド部の安定した二方向への摺動を実現させることができ、これに伴って二方向それぞれの所定位置において、摺動接点と固定接点との接離を良好に行なわせることができる。
【００１２】
また、本発明は、上記発明において、上記摺動接点を上記スライド部の側部に配置し、上記固定接点を上記ケース内の側壁に配置したことを特徴としている。このように構成した本発明は、ケースの高さ方向の寸法を小さく設定することができる。
【００１３】
また、本発明は、上記発明において、上記板ばねが、中央に上記膨出部を有するとともに、この膨出部を挟むように互いに反対方向に延設される一対の第１腕部と、上記膨出部を挟むように互いに反対方向に延設されるとともに、上記第１腕部と直交するように配設される一対の第２腕部とを有することを特徴としている。このように構成した本発明は、それぞれ一対の第１腕部と第２腕部とによって安定した付勢力を確保でき、この付勢力を介して開口を形成する面と膨出部との当接を確実に行なわせることができる。
【００１４】
また、本発明は、上記発明において、上記スライド部を一方向へ案内する第１ガイド手段と、上記スライド部を上記一方向と直交する方向へ案内する第２ガイド手段とを備えたことを特徴としている。このように構成した本発明は、第１ガイド手段と第２ガイド手段によってスライド部の安定した四方向への摺動を実現させることができ、これによって四方向のそれぞれの所定位置において、摺動接点と固定接点との接離を良好に行なわせることができる。
【００１５】
また、本発明は、上記発明において、上記摺動接点を上記スライド部の底部側に配置し、上記固定接点を上記ケースの底部側に配置したことを特徴としている。このように構成した本発明は、ケースの投影面積を小さく設定することができる。
【００１６】
また、本発明は、上記発明において、上記膨出部を上記スライド部に設け、上記開口を形成する面を上記板ばねに設けたことを特徴としている。このように構成した本発明は、膨出部と開口を形成する面とを簡単に設けることができる。
【００１７】
また、本発明は、上記発明において、上記板ばねが金属から成ることを特徴としている。このように構成した本発明は、板ばねを塑性変形させることによって、この板ばねに膨出部、あるいは開口を形成する面を簡単に形成することができる。
【００１８】
また、本発明は、上記発明において、上記開口を形成する面がテーパ面から成ることを特徴としている。このように構成した本発明は、膨出部とテーパ面との当接を介して板ばねの付勢力を、スライド部を摺動させる力に変えることができ、安定したスライド部の中点復帰機能を確保できる。
【発明の効果】
【００１９】
本発明は、スライド部を中点復帰させる弾性部材として板ばねを設けるとともに、スライド部及び板ばねの一方に、他方に向かって次第に広がる開口を形成する面を設け、上述の他方に、開口を形成する面に当接する膨出部を設けたことから、開口を形成する面と膨出部との当接部に与えられる板ばねの付勢力を介してスライド部を確実に中点復帰させることができる。また、スライド部を中点復帰させる弾性部材を形成する板ばねを撓めることなくケース内に組み込むことができ、これによって装置全体の組立作業能率を従来に比べて向上させることができる。
【発明を実施するための最良の形態】
【００２０】
以下，本発明に係る自動復帰式スライドスイッチを実施するための最良の形態を図に基づいて説明する。
【００２１】
［第１実施形態の構成］
図１は本発明に係る自動復帰式スライドスイッチの第１実施形態を示す分解斜視図、図２は図１に示す第１実施形態の外観図、図３は図２の要部透視図である。図４〜６は第１実施形態の動作を示す図で、図４は中点復帰時の状態を示す側断面図、図５はスライド部を中点位置から一方向へ摺動させたときの状態を示す側断面図、図６はスライド部を下方へ押圧したときの状態を示す側断面図である。
【００２２】
この第１実施形態に係る自動復帰式スライドスイッチは、図１，２に示すように、本体を形成する樹脂材料等の絶縁材から成る平面視ほぼ長方形のケース１と、このケース１の収容部１ａに収容されるスライド部３と、このスライド部材３の下方に配置され、スライド部３を中点復帰させる弾性部材、例えば金属から成る板ばね２を備えている。また、ケース１を覆う例えば金属から成る枠体５を備えている。
【００２３】
上述したスライド部材３は、操作ノブ３ａと、摺動接点４が取り付けられる取付け部３ｂとを備えている。また、例えば上述したスライド部３は、図４等に示すように、板ばね２に向かって次第に広がる開口を形成する面、例えばテーパ面３ｃ１を有する凹部３ｃを備えている。
【００２４】
上述の板ばね２は、図１，４等に示すように、スライド部３の凹部３ｃのテーパ面３ｃ１に当接する膨出部２ａを中央に有するとともに、この膨出部２ａを挟むように互いに反対方向に延設される一対の腕部２ｂを有している。
【００２５】
上述の枠体５は、スライド部３の操作ノブ３ａが移動可能に収容され、スライド部３を一方向へ案内するガイド手段、例えば長方形の角穴５ａと、ケース１に設けた突起部１ｂに係合する係止爪５ｂとを備えている。図２に示すように、枠体５の係止爪５ｂがケース１の突起部１ｂに係合することによって、枠体５がケース１に固定されるようになっている。
【００２６】
上述した摺動接点４は、スライド部３の側部に形成された図１に示す取付け部３ｂに取り付けられることにより、スライド部３の側部に配置される。
【００２７】
ケース１内の側壁には、図３に示すように、摺動接点４が接触可能な固定接点６ａ，６ｂ，６ｃ，６ｄを配置してある。また、ケース１の外側には、固定接点６ａ，６ｂ，６ｃ，６ｄのそれぞれ対応するものに導通する端子７ａ，７ｂ，７ｃ，７ｄを配置してある。
【００２８】
［第１実施形態の動作］
スライド部３の操作ノブ３ａに操作力が加えられない初期状態、すなわち中点復帰時には、図４に示すように板ばね２の膨出部２ａがスライド部３の凹部３ｃのほぼ中央に位置し、板ばね２の付勢力によってスライド部３は枠体５に当接した状態に保たれる。このとき、スライド部３に保持された摺動接点４は、その一端が図３に示す固定接点６ａに接触し、他端が固定接点６ｃの上方のケース１の側壁に接触する。したがって、ＯＦＦに保たれる。
【００２９】
このような初期状態から、板ばね２の付勢力に抗して、スライド部３の操作ノブ３ａを例えば図４の左方向に操作すると、図５に示すように、スライド部３の凹部３ｃのテーパ面３ｃ１によって板ばね２の膨出部２ａが押し下げられ、すなわち板ばね２の膨出部２ａが相対的に凹部３ｃのテーパ面３ｃ１上を摺動し、摺動接点４の一端と固定接点６ａとの接触が維持されるとともに、摺動接点４の他端が図３に示す固定接点６ｄに接触する。これにより、摺動接点４を介して固定接点６ａと固定接点６ｄとが導通し、ＯＮとなる。
【００３０】
ここで、スライド部３の操作ノブ３ａに加えていた操作力を弱めると、板ばね２の付勢力がこの板ばね２の膨出部２ａとテーパ面３ｃ１との当接部分に作用してスライド部３を中点方向へ摺動させる力となる。これによりスライド部３は図４に示す状態に中点復帰する。
【００３１】
また、上述とは逆にスライド部３の操作ノブ３ａを図４の右方向に操作すると、スライド部３の凹部３ｃのテーパ面３ｃ１によって板ばね２の膨出部２ａが押し下げられ、摺動接点４の一端と固定接点６ａとの接触が維持されるとともに、摺動接点４の他端が図３に示す固定接点６ｂに接触する。これにより、摺動接点４を介して固定接点６ａと固定接点６ｂとが導通し、ＯＮとなる。
【００３２】
ここで、スライド部３の操作ノブ３ａに加えられていた操作力を弱めると、上述のように板ばね２の付勢力によってスライド部３は中点復帰する。
【００３３】
また、図４に示す初期状態から、図６の矢印８で示すように、板ばね２の付勢力に抗してスライド部３の操作ノブ３ａを押し下げると、摺動接点４の一端と固定接点６ａとの接触が維持されるとともに、摺動接点４の他端が図３に示す固定接点６ｃに接触する。これにより、摺動接点４を介して固定接点６ａと固定接点６ｃとが導通し、ＯＮとなる。
【００３４】
すなわち、この第１実施形態は、図４に示す初期状態ではＯＦＦに保たれ、スライド部３を図４の左方向に摺動させると、固定接点６ａと固定接点６ｄとが導通し、端子７ａ，７ｄを介してスライド部３を左方向に摺動させた際のＯＮが出力される。また、スライド部３を右方向に摺動させると、固定接点６ａと固定接点６ｂとが導通し、端子７ａ，７ｂを介してスライド部３を右方向に摺動させた際のＯＮが出力される。さらに、スライド部３を図４に示す初期状態から押し下げると、固定接点６ａと固定接点６ｃとが導通し、端子７ａ，７ｃを介してスライド部３を押し下げた際のＯＮが出力される。このように、スライド部３の二方向の摺動と、押し下げ動作のそれぞれに伴ってＯＮとすることができる。
【００３５】
［第１実施形態の効果］
このように構成した第１実施形態によれば、上述のようにコイルばねを要することなく、板ばね２を介してスライド部３を中点復帰させることができるとともに、板ばね２をケース１の収容部１ａに組み込むに際して、ケース１内に板ばね２を撓めることなくそのまま収容させ、この板ばね２の上にスライド部３を積層させるようにして組み込めばよく、優れた組み込み性を確保できる。これによって装置全体の組立作業能率を向上させることができる。
【００３６】
また、膨出部２ａを板ばね２に設け、テーパ面３ｃ１を有する凹部３ｃをスライド部３に設けるようにしたので、これらの膨出部２ａとテーパ面３ｃ１とを簡単に設けることができる。
【００３７】
また、板ばね２の一対の腕部２ｂによってスライド部３に対する安定した付勢力を確保することができ、この付勢力を介してスライド部３の凹部３ｃのテーパ面３ｃ１と板ばね２の膨出部２ａとの当接を確実に行なわせることができる。
【００３８】
また、枠体５に形成したガイド手段、すなわち角穴５ａによってスライド部３の操作ノブ３ａを案内するようにしたので、スライド部３の安定した二方向の摺動を実現させることができる。これに伴って、二方向それぞれの所定の位置において、摺動接点４と、固定接点７ａ，７ｂ，７ｄとの接離を良好に行なわせることができる。
【００３９】
また、板ばね２が金属から成ることから、この板ばね２を塑性変形させることによって、この板ばね２に膨出部２ａを簡単に設けることができる。
【００４０】
また、摺動接点４をスライド部３の側部に配置し、固定接点６ａ，６ｂ，６ｃ，６ｄをケース１内の側壁に配置してあることから、ケース１の高さ方向の寸法を小さく設定することができ、この点で装置の小型化を実現できる。
【００４１】
図７はスライド部と板ばねとの別の組み合わせの例を示す側断面図である。上述した第１実施形態では、スライド部３に、板ばね２方向に開口する面、すなわちテーパ面３ｃ１を有する凹部３ｃを設け、板ばね２に、スライド部３のテーパ面３ｃ１に当接する膨出部２ａを設けてあるが、本発明は、この第１実施形態に示す構成に限られることはなく、図７に示すように、スライド部３に膨出部３ｄを設け、板ばね２に、上述の膨出部３ｄが当接し、スライド方向に開口する面、例えば曲面を有する凹部２ｃを設けた構成にしてもよい。
【００４２】
［第２実施形態の構成］
図８は本発明の第２実施形態を示す分解斜視図、図９は図８に示す第２実施形態の外観図、図１０は図９の透視図、図１１は第２実施形態に備えられる固定接点の配置を示す平面図である。
【００４３】
この第２実施形態に係る自動復帰式スライドスイッチは、図８，９に示すように、本体を形成する樹脂材料等の絶縁材から成り、平面視ほぼ正方形のケース１１と、このケース１１の収容部１１ａに収容されるスライド部１３と、このスライド部１３の下方に配置され、スライド部３を中点復帰せる弾性部材、例えば金属から成る板ばね１２を備えている。また、ケース１１を覆う例えば金属から成る枠体１５を備えている。
【００４４】
上述のスライド部１３は、操作ノブ１３ａと、摺動接点１４が取り付けられる取付け部１３ｂとを備えている。また、図示省略したが、スライド部３ａの下側部分には、板ばね１２に向かって次第に広がる開口を形成する面、例えば球面を有する凹部を備えている。
【００４５】
上述の板ばね１２は、図８，１１に示すように、スライド部１３の上述した図示しない凹部の球面に当接する膨出部１２ａを中央に有するとともに、この膨出部１２ａを挟むように互いに反対方向に延設される一対の第１腕部１２ｂと、膨出部１２ａを挟むように互いに反対方向に延設されるとともに、第１腕部１２ｂと直交するように配設される一対の第２腕部１２ｃとを有している。
【００４６】
上述の枠体１５は、図１に示すように、スライド部１３の操作ノブ１３ａが移動可能に収容され、スライド部１３を一方向へ案内する第１ガイド手段と、スライド部１３を上述の一方向と直交する他方項へ案内する第２ガイド手段とを兼ねる十字穴１５ａと、ケース１１に設けた突起部１１ｂに係合する係止爪１５ｂとを備えている。図９に示すように、枠体１５の係止爪１５ｂがケース１１の突起部１１ｂに係合することによって、枠体１５がケース１１に固定されるようになっている。
【００４７】
上述した摺動接点１４は、スライド部１３の底部側に形成された図８に示す取付け部１３ｂに取り付けられることにより、スライド部１３の底部側に配置されている。ケース１内の底部側には、図１１に示すように、摺動接点１４が摺動可能な固定接点１６ａ，１６ｂ，１６ｅ，１６ｆを配置してある。また、他の固定接点１６ｃ，１６ｄも配置してある。ケース１１内の底部には、板ばね１２が収納される十字溝１１ａ１を形成してある。さらに、ケース１１の外側には、上述した固定接点１６ａ，１６ｂ，１６ｃ，１６ｄ，１６ｅ，１６ｆのそれぞれ対応するものに導通する端子１７ａ，１７ｂ，１７ｃ，１７ｄ，１７ｅ，１７ｆを配置してある。
【００４８】
なお、図示しないが、スライド部１３の取付け部１３と反対側のスライド部１３の底部位置には、スライド部１３が押し下げられたときに、図１１に示すケース１１の固定接点１６ｃと固定接点１６ｄの双方に接触する接点部材を取り付けてある。
【００４９】
［第２実施形態の動作］
スライド部１３の操作ノブ１３ａに操作力が加えられない初期状態、すなわち中点復帰時には、図１１に示す板ばね１２の膨出部１２ａが、図示しないスライド部３の下側部分に設けた凹部のほぼ中央に位置し、板ばね１２の付勢力によってスライド部１３は枠体１５に当接した状態に保たれる。このとき、スライド部１３に保持された摺動接点１４は、その一端がケース１１の底部の固定接点１６ａと固定接点１６ｂとの間に形成される絶縁領域に位置し、他端がケース１１の底部の固定接点１６ｅと固定接点１６ｆとの間に形成される絶縁領域に位置する。したがって、ＯＦＦに保たれる。
【００５０】
このような初期状態から、板ばね１２の付勢力に抗して、スライド部１３の操作ノブ１３ａを、例えば図１１の矢印１８で示す前方向に操作すると、スライド部１３の図示しない凹部の球面によって板ばね１２の膨出部１２ａが押し下げられ、すなわち板ばね１２の膨出部１２ａが相対的にスライド部１３の図示しない凹部の球面上を摺動し、摺動接点１４の一端と固定接点１６ｂとが接触するとともに、摺動接点１４の他端と固定接点１６ｅとが接触する。これにより、摺動接点１４を介して固定接点１６ｂと固定接点１６ｅとが導通し、ＯＮとなる。
【００５１】
ここで、スライド部１３の操作ノブ１３ａに加えていた操作力を弱めると、板ばね１２の付勢力がこの板ばね１２の膨出部１２ａと、スライド部１３の図示しない凹部の球面との当接部に作用してスライド部１３を中点方向に摺動させる力となる。これによりスライド部１３は図１１に示す状態に中点復帰する。
【００５２】
また、上述とは逆に、スライド部の操作ノブ１３ａを、例えば図１１の矢印１９で示す後方向に操作すると、スライド部１３の図示しない凹部の球面によって板ばね１２の膨出部１２ａが押し下げられ、摺動接点１４の一端が固定接点１６ａに接触し、他端が固定接点１６ｆに接触する。これにより、摺動接点１４を介して固定接点１６ａと固定接点１６ｆとが導通し、ＯＮとなる。
【００５３】
ここで、スライド部１３の操作ノブ１３ａに加えていた操作力を弱めると、板ばね１２の付勢力によってスライド部１３は中点に復帰する。以下に述べる操作においても同様であり、操作ノブ１３ａに加えていた操作力を弱めるとスライド部１３は中点復帰する。
【００５４】
また、例えば図１１に示す初期状態から、スライド部１３の操作ノブ１３ａを、同図の左方向に操作すると、摺動接点１４の一端が固定接点１６ｂに接触し、他端が固定接点１６ｆに接触する。これにより、摺動接点１４を介して固定接点１６ｂと固定接点１６ｆとが導通し、ＯＮとなる。
【００５５】
上述とは逆に、スライド部１３の操作ノブ１３ａを図１１の右方向に操作すると、摺動接点１４の一端が固定接点１６ａに接触し、他端が固定接点１６ｅに接触する。これにより、摺動接点１４を介して固定接点１６ａと固定接点１６ｅとが導通し、ＯＮとなる。
【００５６】
また、図１１に示す初期状態において、あるいは上述した前後方向、左右方向の所定位置にスライド部１３を摺動させた状態において、板ばね１２の付勢力に抗してスライド部１３の操作ノブ１３ａを押し下げると、スライド部１３の底部位置に設けられた上述の図示しない接点部材の一端が固定接点１６ｃに接触し、他端が固定接点１６ｄに接触する。これにより、図示しない接点部材を介して固定接点１６ｃと固定接点１６ｄとが導通し、ＯＮとなる。
【００５７】
すなわち、この第２実施形態は、図１１に示す初期状態ではＯＦＦに保たれ、スライド部１３を前方向に摺動させると固定接点１６ｂと固定接点１６ｅとが導通し、端子１７ｂ，１７ｅを介してスライド部１３を前方向に摺動させた際のＯＮが出力される。また、スライド部１３を後方向に摺動させると固定接点１６ａと固定接点１６ｆとが導通し、端子１７ａ，１７ｆを介してスライド部１３を後方向に摺動させた際のＯＮが出力される。
【００５８】
また、スライド部１３を左方向に摺動させると固定接点１６ｂと固定接点１６ｆとが導通し、端子１７ｂ，１７ｆを介してスライド部１３を左方向に摺動させた際のＯＮが出力される。スライド部１３を右方向に摺動させると固定接点１６ａと固定接点１６ｅとが導通し、端子１７ａ，１７ｅを介してスライド部１３を右方向に摺動させた際のＯＮが出力される。
【００５９】
さらに、スライド部１３を押し下げると、固定接点１６ｃと固定接点１６ｄとが導通し、端子１７ｃ，１７ｄを介してスライド部１３を押し下げた際のＯＮが出力される。このように、スライド部１３の前後左右の四方向の摺動と、押し下げ動作のそれぞれに応じてＯＮとすることができる。
【００６０】
［第２実施形態の効果］
このように構成した第２実施形態も、上述のようにコイルばねを要することなく、板ばね１２を介してスライド部１３を中点復帰させることができるとともに、板ばね１２をケース１１の収容部１１ａの十字溝１１ａ１に組み込むに際して、ケース１１内に板ばね１２を撓めることなくそのまま収容させ、この板ばね１２の上にスライド部１３を積層させるように組み込めばよく、優れた組み込み性を確保できる。これによって、装置全体の組立作業能率を向上させることができる。
【００６１】
また、板ばね１２のそれぞれ一対の第１腕部１２ｂと第２腕部１２ｃとによって安定した付勢力を確保することができ、この付勢力を介してスライド部１３の下側部分に設けた図示しない凹部の球面と、板ばね１２の膨出部１２ａとの当接を確実に行なわせることができる。
【００６２】
また、スライド部１３の操作の部１３ａを互いに直交する方向に案内する第１ガイド手段と第２ガイド手段を兼ねる枠体１５の十字穴１５ａによって、スライド部１３の安定した四方向の摺動を実現させることができ、これによって四方向のそれぞれの所定位置において、摺動接点１４と、固定接点１６ａ，１６ｂ，１６ｅ，１６ｆとの接離を良好に行なわせることができる。
【００６３】
また、摺動接点１４をスライド部１３の底部側に配置し、固定接点１６ａ，１６ｂ，１６ｅ，１６ｆをケース１１の底部側に配置したことから、ケース１１の投影面積を小さくすることができ、この点で装置の小型化を実現できる。
【００６４】
また、板ばね１２が金属から成ることから、この板ばね１２の膨出部１２ａを簡単に形成できる。
【００６５】
なお、この第２実施形態では板ばね１２に膨出部１２ａを設け、図示しないがスライド部１３に板ばね１２の膨出部１２ａが当接する球面を有する凹部を設けた構成にしてあるが、これとは逆に、スライド部１３の底部に膨出部を設け、板ばね１２にスライド部１３の膨出部に当接する開いた面を有する凹部を設けた構成にしてもよい。
【図面の簡単な説明】
【００６６】
【図１】本発明に係る自動復帰式スライドスイッチの第１実施形態を示す分解斜視図である。
【図２】図１に示す第１実施形態の外観図である。
【図３】図２の要部透視図である。
【図４】第１実施形態の動作を示す図で、特に中点復帰時の状態を示す側断面図である。
【図５】第１実施形態の動作を示す図で、スライド部を中点位置から一方向へ摺動させたときの状態を示す側断面図である。
【図６】第１実施形態の動作を示す図で、スライド部を下方へ押圧したときの状態を示す側断面図である。
【図７】スライド部と板ばねとの別の組み合わせの例を示す側断面図である。
【図８】本発明の第２実施形態を示す分解斜視図である。
【図９】図８に示す第２実施形態の外観図である。
【図１０】図９の透視図である。
【図１１】第２実施形態に備えられる固定接点の配置を示す平面図である。
【符号の説明】
【００６７】
１    ケース
２    板ばね
２ａ  膨出部
２ｂ  腕部
２ｃ  凹部
３    スライド部
３ａ  操作ノブ
３ｂ  取付け部
３ｃ  凹部
３ｃ１  テーパ面（開口を形成する面）
３ｄ  膨出部
４    摺動接点
５    枠体
５ａ  角穴（ガイド手段）
６ａ  固定接点
６ｂ  固定接点
６ｃ  固定接点
６ｄ  固定接点
１１    ケース
１２    板ばね
１２ａ  膨出部
１２ｂ  第１腕部
１２ｃ  第２腕部
１３    スライド部
１３ａ  操作ノブ
１３ｂ  取付け部
１４    摺動接点
１５    枠体
１５ａ  十字穴（第１ガイド手段、第２ガイド手段）
１６ａ  固定接点
１６ｂ  固定接点
１６ｃ  固定接点
１６ｄ  固定接点
１６ｅ  固定接点
１６ｆ  固定接点
【図１】
2007311189.tif 000003
【図２】
2007311189.tif 000004
【図３】
2007311189.tif 000005
【図４】
2007311189.tif 000006
【図５】
2007311189.tif 000007
【図６】
2007311189.tif 000008
【図７】
2007311189.tif 000009
【図８】
2007311189.tif 000010
【図９】
2007311189.tif 000011
【図１０】
2007311189.tif 000012
【図１１】
2007311189.tif 000013